(57)【特許請求の範囲】
【請求項１】
コンロ本体内に組み込まれるグリルであって、グリル庫と、グリル庫の天井部に配置するグリルバーナと、グリルバーナを上方から覆う遮熱板とを備え、グリルバーナは、下面が開放された偏平箱形の板金製のバーナ本体と、バーナ本体の下面を覆うようにバーナ本体に固定された多数の炎孔を有する板金製の燃焼板とを備えるものにおいて、
バーナ本体の上板部は、上方に寄棟状又は四角錐状に盛り上がるように絞り成形された板材で構成されることを特徴とするグリル。
【請求項２】
前記遮熱板に、前記バーナ本体の上板部の頂部に当接する下方に窪んだ凹部が設けられることを特徴とする請求項１記載のグリル。
【発明の詳細な説明】
【技術分野】
【０００１】
本発明は、コンロ本体に組み込まれるグリルに関する。
【背景技術】
【０００２】
従来、この種のグリルは、グリル庫と、グリル庫の天井部に配置するグリルバーナとを備えると共に、コンロ内部の温度上昇を防止するため、グリルバーナを上方から覆う遮熱板を備えている。また、グリルバーナは、下面が開放された偏平箱形の板金製のバーナ本体と、バーナ本体の下面を覆うようにバーナ本体に固定される多数の炎孔を有する燃焼板とを備えている。そして、従来、燃焼板として、一般的に用いられるセラミックプレートに代えて板金製のものを用い、コストダウンを図れるようにした板金製グリルバーナも知られている。
【０００３】
ここで、上記の如き板金製グリルバーナでは、燃焼開始直後から定常燃焼状態になるまでの３〜４分間に、大きな共鳴音を発生することがある。即ち、燃焼開始直後には定常燃焼状態と比較してバーナ自体の温度が低いため、燃焼炎の熱が燃焼板に奪われて、炎孔での燃焼速度とガス噴出速度とのバランスの崩れにより燃焼状態が不安定になり、燃焼炎が周期的に振動する振動燃焼を生じ、この振動燃焼の振動数とバーナ本体の固有振動数とが一致して共鳴音が発生する。
【０００４】
そこで、従来、特許文献１により、板金製グリルバーナにおいて、バーナ本体の上板部に、上方に盛り上がる絞りリブを格子状に形成したものが知られている。これによれば、バーナ本体の剛性が高められて、バーナ本体の固有振動数が振動燃焼の振動数よりも高くなり、共鳴音の発生を防止できる。
【０００５】
然し、このものでは、長期の使用で遮熱板が垂れ下がると、格子状の絞りリブに遮熱板が接触して、上板部と遮熱板との間の空隙による遮熱効果が得られなくなり、遮熱板を介しての放熱でコンロ内部の温度が上昇してしまう。
【先行技術文献】
【特許文献】
【０００６】
【特許文献１】特開２０１１−７４４２号公報
【発明の概要】
【発明が解決しようとする課題】
【０００７】
本発明は、以上の点に鑑み、共鳴音の発生を防止できると共にコンロ内部の温度上昇も防止できるようにしたグリルを提供することをその課題としている。
【課題を解決するための手段】
【０００８】
上記課題を解決するために、本発明は、コンロ本体内に組み込まれるグリルであって、グリル庫と、グリル庫の天井部に配置するグリルバーナと、グリルバーナを上方から覆う遮熱板とを備え、グリルバーナは、下面が開放された偏平箱形の板金製のバーナ本体と、バーナ本体の下面を覆うようにバーナ本体に固定された多数の炎孔を有する板金製の燃焼板とを備えるものにおいて、バーナ本体の上板部は、上方に寄棟状又は四角錐状に盛り上がるように絞り成形された板材で構成されることを特徴とする。
【０００９】
本発明によれば、バーナ本体の上板部を平坦形状にするものに比しバーナ本体の剛性が高められて、バーナ本体の固有振動数が振動燃焼の振動数（燃焼振動数）よりも高くなり、共鳴音の発生が防止される。更に、長期の使用で遮熱板が垂れ下がっても、バーナ本体の上板部の頂部に遮熱板が接触するだけで、上板部の頂部以外の部分と遮熱板との間に遮熱のための十分な空隙が確保され、コンロ内部の温度が上昇することを防止できる。
【００１０】
また、本発明においては、遮熱板に、バーナ本体の上板部の頂部に当接する下方に窪んだ凹部を設けることが望ましい。これによれば、バーナ本体への凹部の当接により一種の補強効果が得られて、バーナ本体の固有振動数が更に高くなる。そのため、炎孔の詰り等で燃焼振動数が高くなっても、バーナ本体の固有振動数の方が燃焼振動数よりも高くなり、共鳴音の発生が防止される。
【図面の簡単な説明】
【００１１】
【図１】本発明の実施形態のグリルの斜視図。
【図２】図１のＩＩ−ＩＩ線で切断したグリルの断面図。
【図３】実施形態のグリルが具備するグリルバーナの斜視図。
【発明を実施するための形態】
【００１２】
図１、図２を参照して、１は、図示省略したコンロ本体内に組み込まれる本発明の実施形態のグリルを示している。このグリル１は、前面に開閉自在はグリル扉２１を有するグリル庫２と、グリル庫２の天井部２２に配置したグリルバーナ３と、グリルバーナ３を上方から覆う遮熱板４とを備えている。
【００１３】
グリル庫２内には、グリル扉２１に連結されるグリル皿２３と、グリル皿２３上の焼き網２４とが収納されており、焼き網２４に載置した被調理物がグリルバーナ３の燃焼により焼成される。グリルバーナ３の燃焼排ガスは、グリル庫２の後方上部に画成される煙道２５を介して天井部２２の後端の排気口２６に導かれる。また、煙道２５には温度センサ２７が配置されており、庫内発火等で温度センサ２７の検出温度が異常に上昇したときはグリルバーナ３を消火する。
【００１４】
遮熱板４は、グリル庫２の天井部２２の前端の立上り部２２ａと天井部２２の排気口２６の手前部分とに跨るようにして天井部２２上に配置されている。
【００１５】
図３も参照して、グリルバーナ３は、下面が開放された偏平箱形のバーナ本体３１と、バーナ本体３１の下面を覆うようにバーナ本体３１に固定された多数の炎孔（図示省略）を有する板金製の燃焼板３２と、バーナ本体３１の横方向一側部に接続された混合管３３とを備えている。そして、グリル庫２の天井部２２に開設したバーナ用開口２２ｂに燃焼板３２を臨ませた状態で、天井部２２にグリルバーナ３を配置している。グリルバーナ３の横方向他側部には、先端を燃焼板３２の下方に臨ませた点火電極３４と熱電対３５とが付設されている。
【００１６】
尚、燃焼板３２は、バーナ用開口２２ｂに臨む主体部の周辺に張り出すフランジ部３２ａを有しており、バーナ本体３１にも同様のフランジ部３１ａを設けて、フランジ部３１ａの下面にフランジ部３２ａを突き合せた状態でフランジ部３１ａの外縁部をヘミング加工することによりバーナ本体３１に燃焼板３２を固定している。また、混合管３３は、バーナ本体３１に一体の上半部と燃焼板３２に一体の下半部とを上下に重ね合わせて形成されている。
【００１７】
ところで、バーナ本体３１の剛性が低いと、バーナ本体３１の固有振動数が上述した振動燃焼の振動数（燃焼振動数）と一致して、共鳴音が発生する。そこで、本実施形態では、バーナ本体３１の上板部３１ｂを、上方に寄棟状に盛り上がるように絞り成形している。これによれば、バーナ本体３１の上板部３１ｂを平坦形状にするものに比しバーナ本体３１の剛性が高められて、バーナ本体３１の固有振動数が燃焼振動数よりも高くなり、共鳴音の発生が防止される。
【００１８】
更に、本実施形態では、遮熱板４に、バーナ本体３１の上板部３１ｂの頂部３１ｃに当接する下方に窪んだ凹部４１を設けている。これによれば、バーナ本体３１への凹部４１の当接により一種の補強効果が得られて、バーナ本体３１の固有振動数が更に高くなる。そのため、炎孔の詰り等で燃焼振動数が高くなっても、バーナ本体３１の固有振動数の方が燃焼振動数よりも高くなり、共鳴音の発生が防止される。
【００１９】
また、本実施形態では、長期の使用で遮熱板４が垂れ下がっても、遮熱板４は上板部３１ｂの頂部３１ｃ以外の部分に接触することはない。そのため、上板部３１ｂの頂部３１ｃ以外の部分と遮熱板４との間に遮熱のための十分な空隙が確保され、コンロ内部の温度が上昇することを防止できる。
【００２０】
以上、本発明の実施形態について図面を参照して説明したが、本発明はこれに限定されない。例えば、上記実施形態では、バーナ本体３１の上板部３１ｂを上方に寄棟状に盛り上がるように絞り成形しているが、上方に四角錐状に盛り上がるように上板部３１ｂを絞り成形してもよい。
【符号の説明】
【００２１】
１…グリル、２…グリル庫、２２…天井部、３…グリルバーナ、３１…バーナ本体、３１ｂ…上板部、３１ｃ…頂部、３２…燃焼板、４…遮熱板、４１…凹部。
【図１】
0005999780.tif 000002
【図２】
0005999780.tif 000003
【図３】
0005999780.tif 000004